(57)【要約】【課題】制御対象に対して利用する機能を設定する場合において、利用者の利便性を向上させること。【解決手段】利用する制御対象における利用可能な機能を選択可能なように表示部に表示させ、同時に設定不可能な排他関係にある機能が定められた排他情報に基づき、前記表示部において選択された機能の少なくともいずれかが、前記表示部において選択された他の機能と排他関係にあるか否かを判定し、排他関係にあると判定された場合に、前記排他情報に基づき、排他関係にあると判定された前記機能のうちどちらかの機能の代替機能を選択させるための選択肢として、もう一方の機能と排他関係にない機能を抽出し、抽出された前記機能を選択可能なように前記表示部に表示させる。【選択図】図８
2015204082.tif 000002
【特許請求の範囲】
【請求項１】
制御の対象である制御対象に対して利用する機能を設定するための機能設定プログラムであって、
前記制御対象における利用可能な機能を選択可能なように表示部に表示させる利用機能表示ステップと、
同時に設定不可能な排他関係にある機能が定められた排他情報に基づき、前記表示部において選択された機能の少なくともいずれかが、前記表示部において選択された他の機能と排他関係にあるか否かを判定する判定ステップと、
排他関係にあると判定された場合に、前記排他情報に基づき、排他関係にあると判定された前記機能のうちどちらかの機能の代替機能を選択させるための選択肢として、もう一方の機能と排他関係にない機能を抽出する機能抽出ステップと、
抽出された前記機能を選択可能なように前記表示部に表示させる代替機能表示ステップと、
を実行することを特徴とする機能設定プログラム。
【請求項２】
前記代替機能表示ステップは、排他関係にあると判定された前記機能のうちどちらかの機能をキャンセル可能なように前記表示部に表示させることを特徴とする請求項１に記載の機能設定プログラム。
【請求項３】
前記機能抽出ステップは、
排他関係にあると判定された場合に、代替される機能の優先度が定められた優先度情報に基づき、排他関係にあると判定された前記機能のうち優先度の低い方の機能を決定し、
前記排他情報に基づき、決定された優先度の低い方の前記機能の代替機能を選択させるための選択肢として、排他関係にあると判定された前記機能のうち優先度の高い方の機能と排他関係にない機能を抽出することを特徴とする請求項１又は２に記載の機能設定プログラム。
【請求項４】
前記代替機能表示ステップは、排他関係にあると判定された前記機能のうち優先度の高い方の機能をキャンセル可能なように前記表示部に表示させることを特徴とする請求項３に記載の機能設定プログラム。
【請求項５】
前記機能抽出ステップは、
排他関係にあると判定された場合に、前記優先度情報に基づき、排他関係にあると判定された前記機能のうち優先度の高い方の機能を決定し、
前記排他情報に基づき、決定された優先度の高い方の前記機能の代替機能を選択させるための選択肢として、排他関係にあると判定された前記機能のうち優先度の低い方の機能と排他関係にない機能を抽出することを特徴とする請求項３又は４に記載の機能設定プログラム。
【請求項６】
排他関係にあると判定された場合に、前記代替機能表示ステップの代わりに、
抽出された前記機能のうちいずれかの機能を選択する機能選択ステップと、
選択された前記機能が、排他関係にあると判定された前記機能のうちどちらかの機能の代替機能として選択されたことを示す識別情報を前記表示部に表示させる識別情報表示ステップと、
を実行することを特徴とする請求項１乃至５いずれか１項に記載の機能設定プログラム。
【請求項７】
前記代替機能表示ステップを実行するのか、前記機能選択ステップ及び前記識別情報表示ステップを実行するのかを、利用者の選択に従って設定する設定ステップを実行することを特徴とする請求項６に記載の機能設定プログラム。
【請求項８】
前記表示部に表示されている前記識別情報を、利用者の操作に従って非表示にする非表示ステップを実行することを特徴とする請求項６又は７に記載の機能設定プログラム。
【請求項９】
利用する制御対象の機能を設定するための機能設定方法であって、
前記制御対象における利用可能な機能を選択可能なように表示部に表示させ、
同時に設定不可能な排他関係にある機能が定められた排他情報に基づき、前記表示部において選択された機能の少なくともいずれかが、前記表示部において選択された他の機能と排他関係にあるか否かを判定し、
排他関係にあると判定された場合に、前記排他情報に基づき、排他関係にあると判定された前記機能のうちどちらかの機能の代替機能を選択させるための選択肢として、もう一方の機能と排他関係にない機能を抽出し、
抽出された前記機能を選択可能なように前記表示部に表示させることを特徴とする機能設定方法。
【発明の詳細な説明】
【技術分野】
【０００１】
本発明は、機能設定プログラム、機能設定方法に関し、特に、制御対象に対する利用機能の設定に関する。
【背景技術】
【０００２】
近年、情報の電子化が推進される傾向にあり、電子化された情報の出力に用いられるプリンタやファクシミリ及び書類の電子化に用いるスキャナ等の画像処理装置は欠かせない機器となっている。このような画像処理装置は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）として構成されることが多い。
【０００３】
このような複合機のうち、電子化された書類の出力に用いられるプリンタを利用する場合、利用者はまず、ＰＣ（Ｐｅｒｓｏｎａｌ  Ｃｏｍｐｕｔｅｒ）等の情報処理装置にソフトウェア・プログラムとしてプリンタドライバをインストールする必要がある。そして、利用者は、インストールされたプリンタドライバが提供するＵＩ（Ｕｓｅｒ  Ｉｎｔｅｒｆａｃｅ：ユーザインタフェース）に従って情報処理装置を操作することでプリンタドライバに画像形成出力の対象となるデータ（以下、「印刷対象データ」とする）及び印刷部数等の印刷条件を設定した上で印刷ジョブを生成させ、生成させた印刷ジョブをプリンタに入力するようになっている。このようにして、利用者は、所望の印刷条件に従ってプリンタに画像形成出力を実行させるようになっている。
【０００４】
また、近年、このようなプリンタには様々な機能が追加されるようになり、それらの機能を使い、様々な印刷条件で印刷が行われるようになっている。例えば、両面印刷機能、集約印刷機能、モノクロ印刷機能、カラー印刷機能、ソート機能、スタック機能、折り機能、ステープル機能、パンチ機能、製本機能等が挙げられる。
【０００５】
このような機能を利用してプリンタに印刷を行わせるためには、利用者は、印刷対象データや印刷部数等の印刷条件に加えて、上記機能に関する印刷条件を含む印刷ジョブをプリンタに入力する必要がある。そのため、上記機能を利用してプリンタに印刷を行わせるためには、利用者は、プリンタドライバに印刷対象データ及び印刷部数等の印刷条件を設定する他、上記機能に関する印刷条件を設定した上で印刷ジョブを生成させる必要がある。
【０００６】
ところが、通常、上述したようなプリンタにおいては、例えば、製本機能とパンチ機能や、折り機能における乙折りと製本機能等、同時に実行することができない排他関係にある機能が存在する。そのため、利用者は、プリンタドライバに印刷条件を設定する際、排他関係にある機能を避けて印刷条件を設定する必要がある。
【０００７】
そのため、利用者は、上記機能を利用してプリンタに印刷を行わせるためには、プリンタの仕様に関する膨大な量の知識が必要となり、若しくは、プリンタのマニュアルを確認しながら印刷条件の設定の操作をしなければならず、印刷可能な印刷条件を正しく設定することは困難である。
【０００８】
そこで、利用者によりある機能が設定された際、その機能と排他関係にある機能について、ＵＩ上においては選択肢として存在するが、現在の状態や条件では選択されないようにグレーアウト表示で表現するプリンタドライバが提案され既に知られている。これにより、選択済みの機能と排他関係にある機能が選択されないように、排他関係にあるその機能が選択の対象から外れていることを示すことができる。
【０００９】
このようなプリンタドライバによれば、排他関係にある機能が選択されないように自動で制約をかけるため、利用者は困難なく印刷可能な印刷条件を正しく設定することが可能となる。ところが、このようなプリンタドライバを利用して印刷条件を設定する場合、利用者は、グレーアウト表示された機能をあえて設定するためには、排他関係が解消されるように印刷条件の設定変更をしなければならない。そのため、このようなプリンタドライバであっても、利用者は、プリンタの仕様に関する膨大な量の知識が必要となり、若しくは、プリンタのマニュアルを確認しながら設定の操作をしなければならず、印刷可能な印刷条件を正しく設定することは困難である。
【００１０】
そこで、お互いに排他関係にある機能が選択された際、その排他関係が解消されるように、印刷条件の設定変更を自動で行うプリンタドライバが提案され既に知られている。このようなプリンタドライバによれば、お互いに排他関係にある機能が選択された場合であっても、印刷可能な印刷条件に自動で設定変更して排他関係を解消するため、利用者は、困難なく印刷可能な印刷条件にてプリンタに印刷を行わせることが可能となる。
【００１１】
ところが、このとき、利用者への通知なく自動的に印刷条件の設定変更が行われてしまうため、利用者は、印刷条件が変更されたことに気付かないといった問題がある。また、このとき、利用者の意思に関係なくプリンタドライバ側で自動的に排他関係を解消するような印刷条件に設定変更するため、利用者の意図に反した印刷条件にて印刷が行われてしまうといった問題がある。
【００１２】
そこで、お互いに排他関係にある機能が選択された際、その排他関係が解消されるような印刷条件を利用者に提示し、提示した印刷条件に設定を変更するか否かを利用者に選択させるプリンタドライバが提案され既に知られている（例えば、特許文献１を参照）。このようなプリンタドライバによれば、印刷条件の設定を変更するか否かを利用者に選択させるため、利用者の意図に反した印刷条件にて印刷が行われてしまうといったことがなく、また、利用者は、印刷条件が変更されたことに気付かないといったことがない。
【発明の概要】
【発明が解決しようとする課題】
【００１３】
ところが、このとき、利用者は、プリンタドライバにより提示された印刷条件が意図した印刷条件とは異なった場合、結局、自身の操作により排他関係が解消されるように印刷条件の設定変更をしなければならない。そして、そのためには、利用者は、プリンタの仕様に関する膨大な量の知識が必要となり、若しくは、プリンタのマニュアルを確認しながら印刷条件の設定の操作をしなければならず、結果的に、上記機能を利用してプリンタに印刷を行わせるためには、印刷可能な印刷条件を正しく設定することは困難となる。
【００１４】
尚、このような問題は、プリンタドライバに限らず、機器やアプリケーション等、制御の対象となりうる制御対象に対して利用する機能を設定するための機能設定プログラムであれば、同様に生じ得る問題である。
【００１５】
本発明は、このような課題を解決するためになされたものであり、制御対象に対して利用する機能を設定する場合において、利用者の利便性を向上させることを目的とする。
【課題を解決するための手段】
【００１６】
上記課題を解決するために、制御の対象である制御対象に対して利用する機能を設定するための機能設定プログラムであって、前記制御対象における利用可能な機能を選択可能なように表示部に表示させる利用機能表示ステップと、同時に設定不可能な排他関係にある機能が定められた排他情報に基づき、前記表示部において選択された機能の少なくともいずれかが、前記表示部において選択された他の機能と排他関係にあるか否かを判定する判定ステップと、排他関係にあると判定された場合に、前記排他情報に基づき、排他関係にあると判定された前記機能のうちどちらかの機能の代替機能を選択させるための選択肢として、もう一方の機能と排他関係にない機能を抽出する機能抽出ステップと、抽出された前記機能を選択可能なように前記表示部に表示させる代替機能表示ステップと、を実行することを特徴とする。
【発明の効果】
【００１７】
本発明によれば、制御対象に対して利用する機能を設定する場合において、利用者の利便性を向上させることができる。
【図面の簡単な説明】
【００１８】
【図１】本発明の実施形態に係る画像形成装置の全体構成を簡略化して示す図である。
【図２】本発明の実施形態に係る画像形成装置のハードウェア構成を模式的に示すブロック図である。
【図３】本発明の実施形態に係る画像形成装置の機能構成を模式的に示すブロック図である。
【図４】本発明の実施形態に係るプリンタドライバの機能構成を模式的に示すブロック図である。
【図５】本発明の実施形態に係る設定画面の表示例を示す図である。
【図６】本発明の実施形態に係る排他関係定義情報の一例を示す図である。
【図７】本発明の実施形態に係る排他関係定義情報の一例を示す図である。
【図８】本発明の実施形態に係るプリンタドライバが利用者の操作に応じて印刷条件を設定する際の処理を説明するためのフローチャートである。
【図９】本発明の実施形態に係る設定画面の表示例を示す図である。
【図１０】本発明の実施形態に係る設定画面の表示例を示す図である。
【図１１】本発明の実施形態に係る設定画面の表示例を示す図である。
【図１２】本発明の実施形態に係る設定画面の表示例を示す図である。
【図１３】本発明の実施形態に係るプリンタドライバが利用者の操作に応じて印刷条件を設定する際の処理を説明するためのフローチャートである。
【図１４】本発明の実施形態に係る設定画面の表示例を示す図である。
【発明を実施するための形態】
【００１９】
実施の形態１．
以下、図面を参照して、本発明の実施形態を詳細に説明する。本実施形態においては、画像形成システムの例として、搬送される記録媒体に対して画像形成出力を実行する画像形成装置と、クライアント端末から上記画像形成装置を利用するためにそのクライアント端末にインストールされて利用されるプリンタドライバとを含む画像形成システムを例として説明する。
【００２０】
このような画像形成システムにおいて、電子化された書類の出力に用いられるプリンタを利用する場合、利用者はまず、インストールされたプリンタドライバが提供するＵＩ（  Ｕｓｅｒ  Ｉｎｔｅｒｆａｃｅ：ユーザインタフェース）に従ってクライアント端末を操作することでプリンタドライバに画像形成出力の対象となるデータ（以下、「印刷対象データ」とする）及び印刷部数等の印刷条件を設定する必要がある。
【００２１】
尚、本実施形態に係る画像形成装置は、例えば、両面印刷機能、集約印刷機能、モノクロ印刷機能、カラー印刷機能、ソート機能、スタック機能、折り機能、ステープル機能、パンチ機能、製本機能等の様々な機能が備えられている。そのため、利用者は、このような機能を利用してプリンタに印刷を行わせるためには、プリンタドライバに印刷対象データ及び印刷部数等の印刷条件を設定する他、上記機能に関する印刷条件を設定した上で印刷ジョブを生成させ、生成させた印刷ジョブをプリンタに入力するようになっている。
【００２２】
但し、本実施形態に係る画像形成装置においては、例えば、製本機能とパンチ機能や、折り機能における乙折りと製本機能等、同時に実行することができない排他関係にある機能が存在する。
【００２３】
そのため、本実施形態に係るプリンタドライバは、お互いに排他関係にある機能が選択された場合、その旨を利用者に知らせるための画面を表示し、排他関係にあるそれらの機能のいずれかの一方について、排他関係を解消するための選択肢を利用者に提示して選択させるようになっている。従って、本実施形態に係るプリンタドライバによれば、利用者は、お互いに排他関係にある機能を選択してしまった場合であっても、印刷可能な印刷条件に設定変更するために、画像形成装置の仕様に関する膨大な量の知識が必要となり、若しくは、画像形成装置のマニュアルを確認しながら印刷条件の設定変更の操作をしなければならないといったことがない。
【００２４】
即ち、本実施形態に係るプリンタドライバによれば、利用者は、お互いに排他関係にある機能を選択してしまった場合であっても、印刷条件の設定変更を困難なく意図した通りに行うことが可能となる。これにより、本実施形態に係るプリンタドライバは、利用する画像形成装置の機能設定において、簡単な操作で利用者の意図した通りに設定することが可能となり、利用者の利便性を向上させることが可能となる。
【００２５】
まず、本実施形態に係る画像形成システムの運用形態について、図１を参照して説明する。図１は、本実施形態に係る画像形成システムの運用形態の例を示す図である。図１に示すように、本実施形態に係る画像形成システムは、クライアント端末１が接続されたネットワーク３と、画像形成装置２が接続されたネットワーク４とがインターネットや電話回線等の公衆回線５を介して接続されて構成されている。
【００２６】
尚、ネットワーク３に接続されているクライアント端末１の数は一例であり、これらがもっと多く接続された大規模なシステムであっても良い。また、それぞれ異なるクライアント端末１が接続された複数のネットワークが公衆回線５を介して画像形成装置２と接続される構成としても良いし、クライアント端末１と画像形成装置２とが同一のネットワーク上に接続されて構成されていても良い。
【００２７】
クライアント端末１は、ユーザが操作する情報処理端末であり、ＰＣ（Ｐｅｒｓｏｎａｌ  Ｃｏｍｐｕｔｅｒ）等の情報処理装置によって実現される。尚、クライアント端末１は、ＰＤＡ（Ｐｅｒｓｏｎａｌ  Ｄｉｇｉｔａｌ  Ａｓｓｉｓｔａｎｔ）やスマートフォン、タブレット端末等の携帯情報端末によって実現されても良い。また、本実施形態に係るクライアント端末１は、画像形成装置２を利用するための専用のソフトウェアであるプリンタドライバがインストールされている。
【００２８】
従って、本実施形態に係るクライアント端末１は、利用者の操作により、印刷対象となるデータ（以下、「印刷対象データ」とする）をＰＤＬ（Ｐａｇｅ  Ｄｉｓｃｒｉｐｔｉｏｎ  Ｌａｎｇｕａｇｅ）データやＪＤＦ（Ｊｏｂ  Ｄｅｆｉｎｉｔｉｏｎ  Ｆｏｒｍａｔ）データ等の画像データに変換して、画像形成装置２に画像形成出力を実行させるための印刷ジョブを生成して送信することができるようになっている。尚、画像形成装置２が印刷対象データそのものを処理できる場合には、その印刷対象データを画像データとしても良い。
【００２９】
画像形成装置２は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）である。また、画像形成装置２は、クライアント端末１から送信されてきた印刷ジョブに含まれる画像データに基づいてＣＭＹＫ（Ｃｙａｎ  Ｍｇｅｎｔａ  Ｙｅｌｌｏｗ  Ｋｅｙ  Ｐｌａｔｅ）若しくはモノクロの描画データを生成し、生成した描画データに基づいて、給紙された用紙に対して画像形成出力を実行するカラープリンタやモノクロプリンタとしての機能を有する。
【００３０】
また、本実施形態に係る画像形成装置２は、この他、両面印刷機能、集約印刷機能、ソート機能、スタック機能、折り機能、ステープル機能、パンチ機能、製本機能等を有し、クライアント端末１から送信されてきた印刷ジョブに含まれるそれらの機能に関する印刷条件に基づいてそれらの機能を実行する。
【００３１】
尚、図１におけるネットワーク３、４は、例えば、オフィスＬＡＮ（Ｌｏｃａｌ  Ａｒｅａ  Ｎｅｔｗｏｒｋ）等の限定されたネットワークであり、クライアント端末１、画像形成装置２は、夫々のＬＡＮを介して公衆回線５に接続されるが、公衆回線５に直接接続される態様とすることも可能である。
【００３２】
次に、本実施形態に係るクライアント端末１、画像形成装置２のハードウェア構成について、図２を参照して説明する。図２は、本実施形態に係るクライアント端末１のハードウェア構成を模式的に示すブロック図である。尚、画像形成装置２は、図２に示すハードウェア構成に加えて、スキャナやプリンタ、ステープル機能、折り機能、製本機能等を実現するためのエンジンを備える。以下の説明においては、クライアント端末１のハードウェア構成を例として説明するが、画像形成装置２についても同様である。
【００３３】
図２に示すように、本実施形態に係るクライアント端末１は、一般的なサーバやＰＣ（Ｐｅｒｓｏｎａｌ  Ｃｏｍｐｕｔｅｒ）等と同様の構成を含む。即ち、本実施形態に係るクライアント端末１は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続されている。また、Ｉ／Ｆ５０にはＬＣＤ（Ｌｉｑｕｉｄ  Ｃｒｙｓｔａｌ  Ｄｉｓｐｌａｙ）６０、操作部７０が接続されている。
【００３４】
ＣＰＵ１０は演算手段であり、クライアント端末１全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。
【００３５】
Ｉ／Ｆ５０は、バス８０と各種のハードウェアやネットワーク等を接続し制御する。ＬＣＤ６０は、ユーザがクライアント端末１の状態を確認するための視覚的ユーザインタフェースである。操作部７０は、キーボードやマウス等、ユーザがクライアント端末１に情報を入力するためのユーザインタフェースである。
【００３６】
このようなハードウェア構成において、ＲＯＭ３０やＨＤＤ４０若しくは図示しない光学ディスク等の記憶媒体に格納されたプログラムがＲＡＭ２０に読み出され、ＣＰＵ１０がＲＡＭ２０にロードされたプログラムに従って演算を行うことにより、ソフトウェア制御部が構成される。このようにして構成されたソフトウェア制御部と、ハードウェアとの組み合わせによって、本実施形態に係るクライアント端末１の機能を実現する機能ブロックが構成される。
【００３７】
次に、本実施形態に係るクライアント端末１の機能構成について、図３を参照して説明する。図３は、本実施形態に係るクライアント端末１の機能構成を模式的に示すブロック図である。
【００３８】
図３に示すように、本実施形態に係るクライアント端末１は、コントローラ１００、キーボード１０１、マウス１０２、ディスプレイパネル１０３、ネットワークＩ／Ｆ１０４を有する。また、コントローラ１００は、ＯＳ（Ｏｐｅｒａｔｉｎｇ  Ｓｙｓｔｅｍ）２００、アプリケーション３００、プリンタドライバ４００、データ記憶部５００、操作制御部６００、表示制御部７００、入出力制御部８００を有する。
【００３９】
キーボード１０１及びマウス１０２は、ユーザがクライアント端末１を操作し若しくはクライアント端末１に対して情報を入力する際の入力インタフェースである。キーボード１０１及びマウス１０２は、図２に示す操作部７０によって実現される。ディスプレイパネル１０３は、クライアント端末１の状態を視覚的に表示する出力インタフェースである。ディスプレイパネル１０３は、図２に示すＬＣＤ６０によって実現される。即ち、本実施形態においては、ディスプレイパネル１０３が表示部として機能する。
【００４０】
ネットワークＩ／Ｆ１０４は、クライアント端末１がネットワークを介して画像形成装置２等の他の機器と通信するためのインタフェースであり、Ｅｔｈｅｒｎｅｔ（登録商標）やＵＳＢ（Ｕｎｉｖｅｒｓａｌ  Ｓｅｒｉａｌ  Ｂｕｓ）インタフェース、Ｂｌｕｅｔｏｏｔｈ（登録商標）、Ｗｉ−Ｆｉ（Ｗｉｒｅｌｅｓｓ  Ｆｉｄｅｌｉｔｙ）（登録商標）、ＦｅｌｉＣａ（登録商標）等のインタフェースが用いられる。このように、本実施形態に係るクライアント端末１は、ネットワークＩ／Ｆ１０４を介して接続された画像形成装置２へ印刷依頼の画像データや、印刷要求などの各種制御コマンドを送信する。ネットワークＩ／Ｆ１０４は、図２に示すＩ／Ｆ５０によって実現される。
【００４１】
コントローラ１００は、ソフトウェアとハードウェアとの組み合わせによって構成される。具体的には、ＲＯＭ３０やＨＤＤ４０等の不揮発性記憶媒体に格納されたファームウェア等の制御プログラムが、ＲＡＭ２０にロードされ、それらのプログラムに従ってＣＰＵ１０が演算を行うことにより構成されるソフトウェア制御部と集積回路などのハードウェアとによってコントローラ１００が構成される。コントローラ１００は、クライアント端末１全体を制御する制御部として機能する。
【００４２】
ＯＳ２００は、Ｍｉｃｒｏｓｏｆｔ  Ｗｉｎｄｏｗｓ（登録商標）、Ｌｉｎｕｘ(登録商標)等のオペレーティングシステムである。アプリケーション３００は、クライアント端末１の利用者が、テキスト編集プログラム、ワードプロセッサ、表計算ソフト等、クライアント端末１上で実行したい作業を実施する機能を直接的に有するソフトウェアである。
【００４３】
プリンタドライバ４００は、画像形成装置２を使用するためのデバイスドライバであって、利用者が印刷対象データ及び印刷条件を設定するためのＵＩである設定画面をクライアント端末１のディスプレイパネル１０３に表示させ、設定された印刷対象データ及び印刷条件に従って画像形成装置２に印刷を行わせるための印刷ジョブを生成する。データ記憶部５００は、印刷対象データ等のデータを記憶する。データ記憶部５００は、図２に示すＲＡＭ２０等の揮発性の記憶媒体や、ＨＤＤ４０等の不揮発性の記憶媒体によって実現される。
【００４４】
操作制御部６００は、キーボード１０１及びマウス１０２を介して入力された情報を、ＯＳ２００やアプリケーション３００、プリンタドライバ４００等、クライアント端末１において動作する各動作部に入力する。表示制御部７００は、ディスプレイパネル１０３に情報表示を行う。入出力制御部８００は、ネットワークＩ／Ｆ１０４を介して入力される情報を、ＯＳ２００やアプリケーション３００、プリンタドライバ４００等、クライアント端末１において動作する各動作部に入力する。
【００４５】
次に、本実施形態に係るプリンタドライバ４００の機能構成について、図４を参照して説明する。図４は、本実施形態に係るプリンタドライバ４００の機能構成を模式的に示すブロック図である。図４に示すように、本実施形態に係るプリンタドライバ４００は、ＵＩモジュール４１０、定義情報記憶部４２０、設定データ記憶部４３０、描画モジュール４４０を有する。また、ＵＩモジュール４１０は、ＵＩ制御部４１１、ＵＩ表示制御部４１２、設定データ入力部４１３を有する。
【００４６】
ＵＩモジュール４１０は、利用者が印刷対象データ及び印刷条件（以下、総称して「設定データ」とする）を設定するためのＵＩである設定画面をクライアント端末１のディスプレイパネル１０３に表示させ、設定画面における利用者の操作による設定データの入力を受け付ける。また、ＵＩモジュール４１０は、設定画面において入力を受け付けた印刷条件が後述する排他関係定義情報に違反していないかを判定し、違反している場合には、後述する優先度定義情報に基づいて排他関係を解消するための処理を実行する。また、ＵＩモジュール４１０は、設定画面において入力を受け付けた印刷条件が後述する設定可能定義情報に違反していないかを判定し、違反している場合には解決するための処理を実行する。
【００４７】
ＵＩ制御部４１１は、利用者が印刷条件を設定するためのＵＩである設定画面を表示させるための設定画面表示情報等、ＵＩに関する表示情報を生成して、生成した表示情報をＵＩ表示制御部４１２に通知する。
【００４８】
また、ＵＩ制御部４１１は、設定画面において入力を受け付けた印刷条件が後述する排他関係定義情報に違反していないかを判定し、違反している場合には、お互いに排他関係にある機能のうちいずれかの機能に代わる機能を利用者に選択させるための設定変更画面を設定画面に反映させるための設定変更画面表示情報を生成して、ＵＩ表示制御部４１２に通知する。尚、設定変更画面表示情報の詳細な生成方法については、図８、特に、Ｓ８１０〜Ｓ８１２を参照して説明する。
【００４９】
また、ＵＩ制御部４１１は、設定画面において入力を受け付けた印刷条件が後述する設定可能定義情報に違反していないかを判定し、違反している場合には、設定不能な範囲や形式が入力された機能に関して、設定可能な範囲や形式を利用者に入力させるための入力変更画面を設定画面に反映させるための入力変更画面表示情報を生成して、ＵＩ表示制御部４１２に通知する。
【００５０】
ＵＩ表示制御部４１２は、表示制御部７００を介して、ＵＩ制御部４１１により生成された表示情報に従ってディスプレイパネル１０３に設定画面を表示させる。設定データ入力部４１３は、設定画面における利用者の操作による設定データの入力を受け付け、ＵＩ制御部４１１に通知し、若しくは、設定データ記憶部４３０に記憶させる。
【００５１】
ここで、本実施形態に係る設定画面について、図５を参照して説明する。図５は、本実施形態に係る設定画面の表示例を示す図である。図５に示すように、本実施形態に係る設定画面において、「機能」欄には、画像形成装置２が備える機能の一覧が表示されており、「印刷条件」欄には、「機能」欄に表示されている機能毎に、画像形成装置２に画像形成出力を実行させる際の印刷条件が選択可能なように表示されている。
【００５２】
また、「機能」欄の「印刷ファイル」は、印刷対象データとなる印刷ファイルの格納場所を利用者の操作により入力する項目である。従って、本実施形態に係る画像形成システムにおいては、クライアント端末１から画像形成装置２に画像形成出力を実行させると、この「印刷ファイル」欄に入力された格納場所に格納されている印刷ファイルが印刷されることになる。このように、本実施形態に係る画像形成システムにおいては、利用者は、図５に示すような設定画面において印刷データを設定するようになっている。
【００５３】
定義情報記憶部４２０は、画像形成装置２が同時に実行することができない機能、即ち、プリンタドライバ４００が同時に設定することができない排他関係にある機能が定義された排他関係定義情報を記憶している。即ち、本実施形態においては、排他関係定義情報が排他情報として参照される。ここで、本実施形態に係る排他関係定義情報について、図６を参照して説明する。図６は、本実施形態に係る排他関係定義情報の一例を示す図である。尚、図６においては、「〇」は排他関係になく、「×」は排他関係にあることを示している。図６に示すように、本実施形態に係る排他関係定義情報は、お互いに排他関係にある機能が定義された情報である。従って、図６に示すような排他関係定義情報において排他関係にあると定義されている機能同士については、プリンタドライバ４００は、同時に設定することができない。
【００５４】
また、定義情報記憶部４２０は、設定画面においてお互いに排他関係にある機能が選択された場合その排他関係を解消するために、どちらか一方の機能を他の機能に変更する必要があるが、その際の機能の優先度が定義された優先度定義情報を記憶している。即ち、本実施形態においては、優先度定義情報が優先度情報として参照される。ここで、本実施形態に係る優先度定義情報について、図７を参照して説明する。図７は、本実施形態に係る排他関係定義情報の一例を示す図である。尚、図７においては、小さい数字ほど優先度が高いことを示す。従って、例えば、設定画面においてお互いに排他関係にある製本機能とパンチ機能とが選択された場合、優先度の高い製本機能はそのままで、優先度の低いパンチ機能が他の機能に変更されることになる。
【００５５】
また、定義情報記憶部４２０は、例えば、印刷枚数の指定範囲や、変倍の指定範囲、ステープルの設定の有無、集約の設定の有無など、プリンタドライバ４００が設定可能な機能や範囲、形式が定義された設定可能定義情報を記憶している。定義情報記憶部４２０は、図２に示すＨＤＤ４０によって実現される。
【００５６】
設定データ記憶部４３０は、設定画面において利用者の操作により入力された設定データを記憶する。描画モジュール４４０は、設定データ記憶部４３０に記憶されている設定データに基づいて印刷ジョブを生成する。
【００５７】
このように構成されたプリンタドライバ４００において、本実施形態に係る要旨の一つは、お互いに排他関係にある機能が選択された場合、その旨を利用者に知らせるための画面を表示し、排他関係にあるそれらの機能のいずれかの一方について、排他関係を解消するための選択肢を利用者に提示して選択させることにある。従って、本実施形態に係るプリンタドライバ４００によれば、利用者は、お互いに排他関係にある機能を選択してしまった場合であっても、印刷可能な印刷条件に設定変更するために、画像形成装置２の仕様に関する膨大な量の知識が必要となり、若しくは、画像形成装置２のマニュアルを確認しながら印刷条件の設定変更の操作をしなければならないといったことがない。
【００５８】
即ち、本実施形態に係るプリンタドライバ４００によれば、利用者は、お互いに排他関係にある機能を選択してしまった場合であっても、印刷条件の設定変更を困難なく意図した通りに行うことが可能となる。これにより、本実施形態に係るプリンタドライバ４００は、利用する画像形成装置２の機能設定において、簡単な操作で利用者の意図した通りに設定することが可能となり、利用者の利便性を向上させることが可能となる。
【００５９】
次に、本実施形態に係るプリンタドライバ４００が利用者の操作に応じて印刷条件を設定する際の処理について、図８を参照して説明する。図８は、本実施形態に係るプリンタドライバ４００が利用者の操作に応じて印刷条件を設定する際の処理を説明するためのフローチャートである。
【００６０】
図８に示すように、本実施形態に係るプリンタドライバ４００が利用者の操作に応じて印刷条件を設定する際にはまず、ＵＩ制御部４１１は、操作制御部６００を介して設定画面を表示させるための操作を受け付けると（Ｓ８０１）、設定画面表示情報を生成し（Ｓ８０２）、ＵＩ表示制御部４１２に通知する。
【００６１】
ＵＩ表示制御部４１２は、ＵＩ制御部４１１から設定画面表示情報を受け取ると、表示制御部７００を介して、ＵＩ制御部４１１から受け取った設定画面表示情報に従ってディスプレイパネル１０３に設定画面を表示させる（Ｓ８０３）。即ち、本実施形態においては、Ｓ８０３における処理が、利用機能表示ステップとして実行される。
【００６２】
そして、設定データ入力部４１３は、設定画面においてある機能（以下、「機能ａ」とする）に関する選択の入力を受け付けると（Ｓ８０４）、ＵＩ制御部４１１に通知する。ＵＩ制御部４１１は、機能ａに関する選択の入力が通知されると、既に選択されている他の機能（以下、「機能ｂ」とする）と、図６に示した排他関係定義情報を参照して、Ｓ８０４において選択の入力が受け付けられた機能ａとが排他関係にあるか否かを判定する（Ｓ８０５）。即ち、本実施形態においては、Ｓ８０５における処理が判定ステップとして実行される。
【００６３】
ＵＩ制御部４１１は、Ｓ８０５における判定処理において排他関係にないと判定した場合には（Ｓ８０５／ＮＯ）、機能ａに関する選択が反映された設定画面表示情報を生成して（Ｓ８０６）、ＵＩ表示制御部４１２に通知する。ＵＩ表示制御部４１２は、ＵＩ制御部４１１から機能ａに関する選択が反映された設定画面表示情報を受け取ると、表示制御部７００を介して、ＵＩ制御部４１１から受け取った設定画面表示情報に従ってディスプレイパネル１０３に機能ａに関する選択が反映された設定画面を表示させる（Ｓ８０７）。
【００６４】
そして、設定データ入力部４１３は、設定画面において印刷ボタンの押下の入力を受け付けた場合には（Ｓ８０８／ＹＥＳ）、設定画面において入力を受け付けた設定データを設定データ記憶部４３０に記憶させる（Ｓ８０９）。このようにして、本実施形態に係るプリンタドライバ４００は、利用者の操作に応じて印刷条件を設定する際の処理を終了する。
【００６５】
一方、設定データ入力部４１３は、設定画面においてある機能に関する選択の入力を受け付けた場合には（Ｓ８０８／ＮＯ）、プリンタドライバ４００は、Ｓ８０５以降の処理と同様の処理を実行する。
【００６６】
また、ＵＩ制御部４１１は、Ｓ８０５における判定処理において排他関係にあると判定した場合には（Ｓ８０５／ＹＥＳ）、図７に示した優先度定義情報を参照して機能ａと機能ｂとの優先度を比較して優先度の低い方を決定し（Ｓ８１０）、図６に示した排他関係定義情報を参照して、優先度の低い方の機能の代替機能を利用者に選択させるための選択肢として、優先度の高い機能と排他関係にない機能を抽出する（Ｓ８１１）。即ち、本実施形態においては、Ｓ８１１における処理が機能抽出ステップとして実行される。
【００６７】
尚、Ｓ８１１における処理において、ＵＩ制御部４１１は、代替機能になりうる候補が機能毎に定義された代替機能候補定義情報を参照することより代替機能を抽出するように構成されていても良い。この代替機能候補定義情報は、定義情報記憶部４２０に記憶されている。
【００６８】
そして、ＵＩ制御部４１１は、機能ａと機能ｂとが排他関係となっている旨、及び、抽出した機能を優先度の低い方の機能に代わる機能として利用者に選択させるための設定変更画面を、表示中の設定画面に反映させるための設定変更画面表示情報を生成して（Ｓ８１２）、ＵＩ表示制御部４１２に通知する。
【００６９】
ＵＩ表示制御部４１２は、ＵＩ制御部４１１から設定変更画面表示情報を受け取ると、表示制御部７００を介して、ＵＩ制御部４１１から受け取った設定変更画面表示情報に従って設定変更画面が反映された設定画面をディスプレイパネル１０３に表示させる（Ｓ８１３）。即ち、本実施形態においては、Ｓ８１３における処理が代替機能表示ステップとして実行される。
【００７０】
そして、設定データ入力部４１３は、設定画面においてある機能に関する選択の入力を受け付けると（Ｓ８１４）、ＵＩ制御部４１１に通知し、プリンタドライバ４００は、Ｓ８０６以降の処理と同様の処理を実行する。このようにして、本実施形態に係るプリンタドライバ４００は、利用者の操作に応じて印刷条件を設定する際の処理を終了する。
【００７１】
次に、本実施形態に係るプリンタドライバ４００において、お互いに排他関係にある機能が選択された場合の設定画面の遷移を図９、図１０、図１１に示す。図９、図１０、図１１は、本実施形態に係る設定画面の表示例を示す図である。尚、図９、図１０、図１１においては、お互いに排他関係にある機能として、製本機能と外三つ折り機能とが選択された例について示している。
【００７２】
本実施形態に係るプリンタドライバ４００において、図９に示すように、設定画面において、お互いに排他関係にある機能が選択された場合、図１０に示すように、それらの機能が排他関係にある旨、及び、優先度の低い方の機能を他の機能に変更させるための設定変更画面が反映された設定画面が表示される。このとき、利用者は、例えば、優先度の低い方に代わる機能をコンボボックスから選択して変更するようになっているが、優先度の高い方の機能と排他関係にある機能についてはコンボボックスには表示されておらず選択することができないようになっている。そして、設定変更画面が反映された設定画面において、いずれかの機能が選択されると、図１１に示すように、その機能に関する選択が反映された設定画面が表示される。
【００７３】
以上、説明したように、本実施形態係るプリンタドライバ４００は、お互いに排他関係にある機能が選択された場合、その旨を利用者に知らせるための画面を表示し、排他関係にあるそれらの機能のいずれかの一方について、排他関係を解消するための選択肢を利用者に提示して選択させることを要旨の一つとしている。従って、本実施形態に係るプリンタドライバ４００によれば、利用者は、お互いに排他関係にある機能を選択してしまった場合であっても、印刷可能な印刷条件に設定変更するために、画像形成装置２の仕様に関する膨大な量の知識が必要となり、若しくは、画像形成装置２のマニュアルを確認しながら印刷条件の設定変更の操作をしなければならないといったことがない。
【００７４】
即ち、本実施形態に係るプリンタドライバ４００によれば、利用者は、お互いに排他関係にある機能を選択してしまった場合であっても、印刷条件の設定変更を困難なく意図した通りに行うことが可能となる。これにより、本実施形態に係るプリンタドライバ４００は、利用する画像形成装置２の機能設定において、簡単な操作で利用者の意図した通りに設定することが可能となり、利用者の利便性を向上させることが可能となる。
【００７５】
尚、本実施形態においては、図１０に示したように、お互いに排他関係にある機能が選択された場合、利用者に優先度の低い方の機能を他の機能に変更させる例について説明したが、優先度の低い方の機能をキャンセルさせるように構成されていても良い。
【００７６】
また、本実施形態においては、お互いに排他関係にある機能が選択された場合、優先度の低い方の機能を他の機能に変更させる例について説明したが、優先度の低い方の機能は変更せずに、優先度の高い方の機能を変更したいと考える利用者も考慮して、優先度の低い方の機能は変更せずに、優先度の高い方の機能を変更するように構成されていても良いし、優先度の低い方の機能を変更するか、優先度の高い方の機能を変更するかを利用者に選択させるように構成されていても良い。
【００７７】
また、本実施形態においては、お互いに排他関係にある機能が選択された場合、優先度の低い方の機能を他の機能に変更させる例について説明したが、優先度の高い方の機能をキャンセルさせるように構成されていても良い。このように構成された場合、図１２に示すように、お互いに排他関係にある機能が選択された場合、それらの機能が排他関係にある旨、及び、優先度の低い方の機能を他の機能に変更するか、優先度の高い方の機能をキャンセルするのかを利用者に選択させるための設定変更画面が反映された設定画面が表示される。
【００７８】
実施の形態２．
実施の形態１においては、お互いに排他関係にある機能が選択された場合、その旨を利用者に知らせるための画面を表示し、排他関係にあるそれらの機能のいずれかの一方について、排他関係を解消するための選択肢を利用者に提示して選択させるプリンタドライバ４００を例にして説明した。この場合、実施の形態１に係るプリンタドライバ４００によれば、利用者は、お互いに排他関係にある機能を選択してしまった場合であっても、印刷条件の設定変更を困難なく意図した通りに行うことが可能となる。
【００７９】
本実施形態においては、お互いに排他関係にある機能が選択された場合、排他関係にあるそれらの機能のいずれかの一方を、排他関係を解消するために他の機能に自動で変更し、変更したことを利用者に明示する例について説明する。この場合、本実施形態に係るプリンタドライバ４００によれば、お互いに排他関係にある機能が選択された場合であっても、印刷可能な印刷条件に自動で設定変更して排他関係を解消し、その旨を利用者に明示するため、利用者は、困難なく印刷可能な印刷条件にて画像形成装置２に印刷を行わせることが可能となる上、印刷条件が変更されたことに気付かないといった問題がない。
【００８０】
従って、本実施形態に係るプリンタドライバ４００によれば、利用者は、お互いに排他関係にある機能を選択してしまった場合であっても、印刷可能な印刷条件に設定変更するために、画像形成装置２の仕様に関する膨大な量の知識が必要となり、若しくは、画像形成装置２のマニュアルを確認しながら印刷条件の設定変更の操作をしなければならないといったことがない。
【００８１】
即ち、本実施形態に係るプリンタドライバ４００によれば、利用者は、お互いに排他関係にある機能を選択してしまった場合であっても、印刷条件の設定変更を困難なく意図した通りに行うことが可能となる。これにより、本実施形態に係るプリンタドライバ４００は、利用する画像形成装置２の機能設定において、簡単な操作で利用者の意図した通りに設定することが可能となり、利用者の利便性を向上させることが可能となる。
【００８２】
以下、図面を参照して、本発明の実施形態を詳細に説明する。尚、実施の形態１と同様の符号を付す構成については、同一または相当部を示すものとし、詳細な説明を省略する。
【００８３】
まず、本実施形態に係るプリンタドライバ４００が利用者の操作に応じて印刷条件を設定する際の処理について、図１３を参照して説明する。図１３は、本実施形態に係るプリンタドライバ４００が利用者の操作に応じて印刷条件を設定する際の処理を説明するためのフローチャートである。
【００８４】
図１３に示すように、本実施形態に係るプリンタドライバ４００は、利用者の操作に応じて印刷条件を設定する際には、Ｓ８０１〜Ｓ８０９と同様の処理を実行し（Ｓ１３０１〜１３０９）、Ｓ１３０５における判定処理において排他関係にあると判定した場合には（Ｓ１３０５／ＹＥＳ）、図７に示した優先度定義情報を参照して機能ａと機能ｂとの優先度を比較し（Ｓ１３１０）、図６に示した排他関係定義情報を参照して、優先度の高い機能と排他関係になく、かつ、優先度の低い方の機能に代わる機能を抽出する（Ｓ１３１１）。
【００８５】
そして、ＵＩ制御部４１１は、Ｓ１３１１において抽出された機能のうち、いずれかの機能（以下、「機能ｃ」とする）を選択し（Ｓ１３１２）、機能ｃに関する選択が反映され、かつ、優先度の低い方の機能ａが他の機能に変更されたことを示すアイコンが付与されたアイコン付き設定画面を表示させるためのアイコン付き設定画面表示情報生成して（Ｓ１３１３）、ＵＩ表示制御部４１２に通知する。即ち、本実施形態においては、Ｓ１３１２が機能選択ステップとして実行され、上記アイコンが識別情報として表示され、Ｓ１３１３が識別情報表示ステップとして実行される。
【００８６】
ＵＩ表示制御部４１２は、ＵＩ制御部４１１から機能ｃに関する選択が反映されたアイコン付き設定画面表示情報を受け取ると、表示制御部７００を介して、ＵＩ制御部４１１から受け取ったアイコン付き設定画面表示情報に従ってディスプレイパネル１０３に機能ｃに関する選択が反映されたアイコン付き設定画面を表示させる（Ｓ１３１４）。このようにして、本実施形態に係るプリンタドライバ４００は、利用者の操作に応じて印刷条件を設定する際の処理を終了する。
【００８７】
次に、本実施形態に係るプリンタドライバ４００において、お互いに排他関係にある機能が選択された場合の設定画面の遷移を図１４に示す。図１４は、本実施形態に係るアイコン付き設定画面の表示例を示す図である。尚、図１４においては、図９に示した設定画面から遷移したアイコン付き設定画面を示している。
【００８８】
本実施形態に係るプリンタドライバ４００において、図９に示すように、設定画面において、お互いに排他関係にある機能が選択された場合、優先度の低い方の機能が自動的に他の機能に変更され、図１４に示すように、その機能に関する変更が反映され、かつ、そのことを示すアイコンが付与されたアイコン付き設定画面が表示される。
【００８９】
以上、説明したように、本実施形態に係るプリンタドライバ４００は、お互いに排他関係にある機能が選択された場合、排他関係にあるそれらの機能のいずれかの一方を、排他関係を解消するために他の機能に自動で変更し、変更したことを利用者に明示することを要旨の一つとしている。そのため、本実施形態に係るプリンタドライバ４００によれば、お互いに排他関係にある機能が選択された場合であっても、印刷可能な印刷条件に自動で設定変更して排他関係を解消し、その旨を利用者に明示するため、利用者は、困難なく印刷可能な印刷条件にて画像形成装置２に印刷を行わせることが可能となる上、印刷条件が変更されたことに気付かないといった問題がない。
【００９０】
従って、本実施形態に係るプリンタドライバ４００によれば、利用者は、お互いに排他関係にある機能を選択してしまった場合であっても、印刷可能な印刷条件に設定変更するために、画像形成装置２の仕様に関する膨大な量の知識が必要となり、若しくは、画像形成装置２のマニュアルを確認しながら印刷条件の設定変更の操作をしなければならないといったことがない。
【００９１】
即ち、本実施形態に係るプリンタドライバ４００によれば、利用者は、お互いに排他関係にある機能を選択してしまった場合であっても、印刷条件の設定変更を困難なく意図した通りに行うことが可能となる。これにより、本実施形態に係るプリンタドライバ４００は、利用する画像形成装置２の機能設定において、簡単な操作で利用者の意図した通りに設定することが可能となり、利用者の利便性を向上させることが可能となる。
【００９２】
尚、このようなアイコン付き設定画面において付与されているアイコンの数が増えていくと、どのアイコンがどの排他関係に起因する設定変更を示すものであるのかが混同されてしまう場合がある。そのような場合には、本実施形態に係るプリンタドライバ４００は、アイコン付き設定画面において利用者に特定の操作を行わせることでアイコンを非表示にするように構成されていても良い。即ち、このとき、アイコンを非表示にする処理が非表示ステップとして実行される。
【００９３】
そこで、本実施形態に係るプリンタドライバ４００において、アイコン付き設定画面からアイコンを非表示にする方法について、３例を挙げて説明する。
【００９４】
まず、本実施形態に係るプリンタドライバ４００において、アイコン付き設定画面からアイコンを非表示にする一つ目の方法について説明する。本実施形態に係るプリンタドライバ４００は、表示中のアイコン付き設定画面において利用者の操作によりいずれかのアイコンが選択され、そのアイコンが付与されている機能に関して機能が変更されるに至った経緯や理由等の変更情報を表示することで、そのアイコンを非表示にする。
【００９５】
次に、本実施形態に係るプリンタドライバ４００において、アイコン付き設定画面からアイコンを非表示にする二つ目の方法について説明する。本実施形態に係るプリンタドライバ４００は、アイコン付き設定画面にアイコンを非表示にするためのボタンを配置し、表示中のアイコン付き設定画面において利用者の操作によりそのボタンが押下されることで、付与されている全てのアイコンを非表示にする。
【００９６】
次に、本実施形態に係るプリンタドライバ４００において、アイコン付き設定画面からアイコンを非表示にする三つ目の方法について説明する。本実施形態に係るプリンタドライバ４００は、表示中のアイコン付き設定画面において利用者の操作によりアイコンが付与されている機能が他の機能に変更されることで、そのアイコンを非表示にする。
【００９７】
尚、実施の形態１に係るプリンタドライバ４００は、お互いに排他関係にある機能が選択された場合、利用者に手動で機能変更させることで排他関係を解消し、実施の形態２に係るプリンタドライバ４００は、自動で機能変更することで排他関係を解消する例について説明した。この他、プリンタドライバ４００は、お互いに排他関係にある機能が選択された場合、どちらの方法で排他関係を解消するのかを、利用者が選択することが可能なように構成されていても良く、また、予め利用者が設定することが可能なように構成されていても良い。即ち、このとき、どちらの方法で排他関係を解消するのかを利用者が選択する処理、若しくは、予め利用者が設定する処理が設定ステップとして実行される。
【００９８】
また、実施の形態１及び２においては、画像形成装置２を利用するためのプリンタドライバ４００について説明したが、この他、機器やアプリケーション等、制御の対象となり得る制御対象に対して利用する機能を設定するための機能設定プログラムであれば、同様に適用可能である。
【符号の説明】
【００９９】
１  クライアント端末
２  画像形成装置
１０  ＣＰＵ
２０  ＲＡＭ
３０  ＲＯＭ
４０  ＨＤＤ
５０  Ｉ／Ｆ
６０  ＬＣＤ
７０  操作部
８０  専用デバイス
９０  バス
１００  コントローラ
１０１  キーボード
１０２  マウス
１０３  ディスプレイパネル
１０４  ネットワークＩ／Ｆ
２００  ＯＳ
３００  アプリケーション
４００  プリンタドライバ
４１０  ＵＩモジュール
４１１  ＵＩ制御部
４１２  ＵＩ表示制御部
４１３  設定データ入力部
４２０  定義情報記憶部
４３０  設定データ記憶部
４４０  描画モジュール
５００  データ記憶部
６００  操作制御部
７００  表示制御部
８００  入出力制御部
【先行技術文献】
【特許文献】
【０１００】
【特許文献１】特開２００８−１５２６６８号公報
【図１】
2015204082.tif 000003
【図２】
2015204082.tif 000004
【図３】
2015204082.tif 000005
【図４】
2015204082.tif 000006
【図５】
2015204082.tif 000007
【図６】
2015204082.tif 000008
【図７】
2015204082.tif 000009
【図８】
2015204082.tif 000010
【図９】
2015204082.tif 000011
【図１０】
2015204082.tif 000012
【図１１】
2015204082.tif 000013
【図１２】
2015204082.tif 000014
【図１３】
2015204082.tif 000015
【図１４】
2015204082.tif 000016